(57)【要約】【課題】枕の移動間隔を長くし、安全性及び清潔感に問題のない頭部を受けたり、腰部を受けたりでき、比較的移動が自在なクッション体を設け、着座を継続しても頭部の疲れ、腰椎の負担を軽減した座り心地、寝心地が得られること。【解決手段】着座する座部Ａに傾動自在に接続された背凭れ部Ｂの前面の高さ方向に対して、水平方向に均一幅Ｌに設けた互いに噛み合う２列のエレメント５０と、２列のエレメント５０の各列のエレメント５０にスライダー６０の胴体６１を２個頭合わせ状態に、２列のエレメント５０に配設した４個のスライダー６０の胴体６１と、４個のスライダー６０の胴体６１を２列のエレメント５０の幅間隔Ｌが変化しないように維持すると共に、頭合わせで配設した胴体６１の高さ方向の間隔を維持する間隔保持材９０と、間隔保持材９０を一体に取付け所定の形状としたクッション材７０とを有する。【選択図】図１
2015223273.tif 000002
【特許請求の範囲】
【請求項１】
着座する座部及び前記座部と傾動自在に接続された背凭れ部とを有する座椅子において、
前記背凭れ部の前記座部側の前面の高さ方向に対して、水平方向に均一幅に設けた互いに噛み合うエレメントを用いてなる２列のエレメントと、
前記２列のエレメントの各列のエレメントにスライダーの胴体を頭合わせ状態に、前記２列のエレメントに配設した４個のスライダーの胴体と、
前記４個のスライダーの胴体を２列のエレメントの幅間隔が変化しないように維持すると共に、前記頭合わせで配設した胴体の高さ方向の間隔を維持する間隔保持材と、
前記間隔保持材を一体に取付け所定の形状としたクッション材と
を具備することを特徴とする座椅子。
【請求項２】
前記４個のスライダーの胴体と前記間隔保持材とは、前記４個のスライダーの胴体から突出した柱に前記間隔保持材の長方形状の切欠きに嵌合させて取付けたことを特徴とする請求項１に記載の座椅子。
【請求項３】
前記クッション材と前記間隔保持材とは、スナップボタンで連結することを特徴とする請求項１または請求項２に記載の座椅子。
【請求項４】
前記２列のエレメントは、前記背凭れ部の全長としたことを特徴とする請求項１乃至請求項３のいずれか１つに記載の座椅子。
【請求項５】
前記２列のエレメントは、前記背凭れ部の前面とその後面の一部としたことを特徴とする請求項１乃至請求項４のいずれか１つに記載の座椅子。
【発明の詳細な説明】
【技術分野】
【０００１】
本発明は、座椅子の使用時における頭部にかかる負担の軽減、必要に応じて腰部への負担の軽減を行うと共に、使用する人の座高差、身長差の影響に左右されることなく、着座時における快適性及び利便性を向上させた座椅子に関するものである。
【背景技術】
【０００２】
従来から和室等で使用される座椅子は、公知のように、一般に座部と背凭れで構成されており、通常、背凭れが角度調節金具により座部と起伏自在に連結されている。かかる座椅子を使用する場合、使用目的に応じて背凭れは最も身体に快適な状態に角度調節される。例えば、読書やテレビ鑑賞等においては背凭れを起立状態とし、また、仮眠や休息をとる場合には、背凭れを倒して腰部に負担をかけない状態に角度調節される。
【０００３】
特許文献１では、背凭れが座部に対し傾動自在に連結された座椅子において、着座時の人体の臀部及び腰部の当接面に移動自在に配設される補助具を設け、しかも、前記補助具が座部と背凭れの曲折部に一端が係止された連結材と、該連結材の他端部に設置された緩衝材とからなるものである。
即ち、特許文献１の座椅子は、背凭れが座部に対し傾動自在に連結された座椅子において、着座時の人体の臀部及び腰部の当接面に移動自在に配設される補助具を設けたものである。座部に補助具を配設可能とすることにより、座椅子に着座していても臀部が安定するため、長時間快適かつ楽に着座することができる。また、背凭れの任意の箇所に補助具を移動することにより、着座しながら背筋を伸ばすことができ、心地よい刺激を得ることが可能となる。更に、背凭れを水平状態に倒伏させ、腰部の下に補助具を配設して仰向けに横臥した場合には、腰部及び背中の関節、筋肉を伸張させるストレッチ運動を行うことができる。
【０００４】
また、座椅子の補助具は、座部と背凭れの曲折部に一端が係止された連結材と、該連結材の他端部に設置された緩衝材とからなる。連結材を介して座椅子の曲折部と緩衝材とを連結可能にすることにより、座椅子と一体化し、使用の容易性を図ることが可能となる。更に、座椅子は、前記連結材が略座椅子幅にわたり延在する平布状を呈している。連結材を略座椅子幅にわたり延在する平布状とすることにより、座部や背凭れへの移行を簡易に行うことができ、そして、緩衝材を任意の箇所に移動しても座椅子使用時において緩衝材がずれることがなく、安定性に優れるという効果を奏する。更にまた、座椅子は前記緩衝材が肉厚の矩形状を呈している。緩衝材を肉厚の矩形状とすることにより、着座時の臀部または腰部の安定性がよくなり、使用感も良好となる。
【０００５】
このように、特許文献１は、背凭れが座部に対し起伏自在に連結された座椅子において、着座時の人体の臀部及び腰部の当接面に移動自在に配設される補助具を設け、しかも、前記補助具が座部と背凭れの曲折部に一端が係止された連結材と、該連結材の他端部に設置された緩衝材とからなるものである。
しかし、特許文献１においては、人が座椅子に着座したとき、背凭れに臀部が当たり、着座位置が決まる。そして、状態を後ろに傾けて背中、即ち、胸椎の位置を定める。このとき、補助具は単なるクッション材として機能しているにすぎない。
特許文献１では、例えば、着座の際には、補助具の上に着座し、また、凭れる場合には、臀部と背凭れとの間に補助具が介在する。したがって、着座の際、臀部の下に補助具を敷いた場合、凭れかせの際の臀部の後ろに補助具を挟んだ場合には、何れも人体の基準となる安定位置を不安定にするものであるから、見掛け上は安定したクッション性のよい座椅子のイメージを持つものの、当該座椅子を使用してみるとクッション性による不安定さにより落ち着きが悪いことが分かる。
【０００６】
また、特許文献２には、枕をモータ等の駆動力によって背もたれ部の長さ方向に移動させる駆動部を設け、操作部で枕の位置を調整可能な枕調整部を設け、操作部にて操作可能な構成とした技術が開示されている。
そして、特許文献３には、枕を背凭れの長手方向及び面方向に対して移動及び回動自在に載置する構成が開示されている。
【先行技術文献】
【特許文献】
【０００７】
【特許文献１】特開２００２−２９１５６６
【特許文献２】特開２０１０−１２４８５４
【特許文献３】特開２００６−２８０５２９
【発明の概要】
【発明が解決しようとする課題】
【０００８】
特許文献２及び特許文献３は、枕を背凭れに沿って昇降させることにより、枕を昇降させる技術を開示している。しかし、特許文献２には、枕を移動させる旨の記載はあるが具体的移動させる機械的構造を開示するものがない。
また、特許文献３には、コ字状の留め具が記載されているから、保持具との間で挟持されるものであり、枕を背凭れに沿って昇降させる間隔は少なくとも長円の開口とならざるを得ない。しかし、特許文献３のように、枕の上下の幅の何倍かの長さがないと、人の座高差或いは子供と大人との身長差を吸収することができない。しかし、長円の開口を大きくすると安全性に問題があり、また、子供が手を入れたり、埃が入ったり、出たりし、清潔感に問題があった。
【０００９】
そこで、本発明は、枕のようなクッション体の昇降移動間隔を長くし、比較的移動が自在なクッション体により頭部を受けたり、腰部を受けたりでき、着座を継続しても頭部の疲れ、腰椎の負担を軽減した座り心地、寝心地が得られ、かつ、安全性及び清潔感に問題のない座椅子の提供を課題とするものである。
【課題を解決するための手段】
【００１０】
請求項１の発明にかかる座椅子は、人が着座する座部と接続されて傾動自在な背凭れ部の前面における高さ方向に、水平方向に対して等間隔の幅で平行に設けた互いに噛み合うエレメントが２列と、前記２列のエレメントの各列のエレメントにスライダーの胴体を２個頭合わせ状態（互いの肩口が向かい合う状態）で配設することにより、前記エレメントの２列に配設した４個のスライダーの胴体と、前記スライダーの４個の胴体を２列のエレメントの幅間隔が変化しないように維持すると共に、２個の頭合わせで配設した胴体の高さ方向の間隔を維持する間隔保持材と、前記間隔保持材を一体に取付け所定の形状としたクッション材とを具備するものである。
【００１１】
ここで、上記２列のエレメントとは、一対の務歯頭部が噛み合い、他部材に縫製自在としたテープに配設されたもので、１列とは務歯頭部が噛み合って２つに分れたテープが一体化した状態の形態を取る構造を意味する。
また、上記２列のエレメントに配設した２個の対で、計４個のスライダーの胴体とは、１列のエレメントに互いがスライダーの胴体、即ち、エレメントを噛み合わせる方向のスライダーの両肩口を対向させ、その頭合わせ状態の対向間隔では対のエレメントが噛み合っていない。逆に、エレメントから見れば、本実施の形態の下止とスライダー間、上止と他の頭合わせのスライダー間は噛み合っている。
【００１２】
そして、上記間隔保持材は、前記４個のスライダーの胴体を２列のエレメントの間隔（幅）と、１列のエレメントにある２個のスライダー間、即ち、「頭合わせ」で配設したスライダー間の間隔を保持するものである。この「頭合わせ」とは、通常、スライダー２個付の止製品の一種として販売され、２個のスライダーの頭と頭が向かい合うところから頭合わせと呼ばれている。「頭合わせ」を設けることにより、エレメント全長からすれば、「閉」、「開」、「閉」の順序で開閉状態が維持され、頭合わせ間の位置が「開」の位置となり、それが移動することになる。
なお、上記クッション材は、枕等に使用されるもので、使用者によっては腰部に当てたり、頸部に当てたりするもので、枕として使用するのみではないので、本発明は全体を通してクッション材としているが、基本的構造が枕と異なるものではない。
【００１３】
請求項２の発明にかかる座椅子の前記４個のスライダーの胴体と前記間隔保持材とは、前記スライダーの胴体から突出した４個の柱に前記間隔保持材の長方形状の貫通孔を挿通させて取付けたものである。
ここで、前記スライダーの４個の胴体と前記間隔保持材とは、前記間隔保持材の長方形の貫通孔にスライダーの柱を挿通させ、間隔保持材が離脱しないようにスナップピン等でピン止めし、その前記間隔保持材にスナップボタン（凹または凸のどちら側でもよい）を配設し、前記クッション材との間をスナップボタンで接続するものである。
【００１４】
請求項３の発明にかかる座椅子の前記クッション材と前記間隔保持材とは、スナップボタン（凹または凸のどちら側でもよい）で連結するものである。
上記クッション材と間隔保持材は、別体の構造とし、両者を連結が簡単なスナップボタンで接続するものである。
【００１５】
請求項４の発明にかかる座椅子の前記２列のエレメントは、前記背凭れ部の全長としたものである。
ここで、上記エレメントの２列は、前記背凭れ部の任意の長さとすることができるが、全長とすることにより、人体の頭部から臀部までにクッション材が移動自在としたものである。前記背凭れ部の全長とは、１００パーセントの長さ位置のみを意味するものではなく、８０パーセントを超えており、クッション材が移動距離が長いものであればよい。
【００１６】
請求項５の発明にかかる座椅子の前記エレメントの２列は、前記背凭れ部の前面とその後面の一部としたものである。
ここで、上記２列のエレメントは、前記背凭れ部の任意の長さとすることができるが、全長とすることにより、人体の頭部から臀部までにクッション材が移動自在にできる。更に、前記背凭れが垂直のときに頭が前かがみ状態になるのを嫌う人は、クッション材を外したくなる。しかし、クッション材を外さなくとも、クッション材を使用しない後側に移動させることができる。
【発明の効果】
【００１７】
請求項１の発明は、人が着座する座部及び前記座部と接続されて傾動自在な背凭れ部とを有する座椅子において、前記背凭れ部の前面に設けた２列のエレメントには、各列のエレメントにスライダーの胴体を２個頭合わせ状態に配設し、前記２列のエレメントに計４個のスライダーの胴体を配設し、しかも、間隔保持材によって前記４個のスライダーの胴体を２列のエレメントの幅間隔が変化しないように維持すると共に、２個頭合わせ状態で配設した胴体の高さ方向の間隔を維持した状態でクッション材を上方に外力を付与したり、下方に外力を付与すると、それに伴ってクッション材が水平を維持しながら昇降移動する。
このとき、前記４個のスライダーの胴体は、２個頭合わせで配設しているから、ファスナーが開の部分は、対向する２個頭合わせの直線部分のみ開となり、しかも、ファスナーが開の部分は間隔保持材や、クッション材で覆われているから、仮に、幼児等であっても手が届き難くなり、また、頻繁にクッション材を上下等しても、埃が出入りすることがない。
また、クッション材を枕として使用する場合でも、上下の移動間隔を長くしているから座高、身長に左右されず使用できる。そして、例えば、反身の人にとっても、クッション材の位置を移動させることにより、自分に適した使用となる。更に、クッション体として比較的昇降移動が自在であるから、頭部を受けたり、腰部を受けたりでき、着座を継続しても頭部の疲れ、腰椎の負担を軽減した座り心地、寝心地が得られる。
加えて、前記背凭れ部の前面に設けた２列のエレメントは、任意の間隔に設定できるから、前記背凭れ部の両端の形状を特定の形状にする必要がなく、設計自由度の高い構造となる。
【００１８】
請求項２の発明の座椅子は、前記４個のスライダーの胴体と前記間隔保持材を、前記４個のスライダーの胴体から突出した柱に前記間隔保持材の長方形状の貫通孔に嵌合させて取付けたものであるから、請求項１に記載の効果に加えて、前記間隔保持材の長方形状の切欠きを設け、そこにスライダーの胴体から突出した柱を挿入すれば接合状態に持ち込めるから、作業性が良好である。
【００１９】
請求項３の発明の座椅子は、前記クッション材と前記間隔保持材は、スナップボタンで連結するものであるから、請求項１または請求項２に記載の効果に加えて、作業性が良くなるだけでなく、取外し及び取付けが簡単でありユーザがその操作を行うこともできる。特に、クッション材を複数の種類作成しておき、ユーザの好みや趣味に応じて選択できるようにすることも可能である。
【００２０】
請求項４の発明の座椅子における前記２列のエレメントは、前記背凭れ部の全長としたものであるから、請求項１乃至請求項３のいずれか１つに記載の効果に加えて、クッション材を枕として使用する場合でも、移動間隔を長くしているから座高、身長に左右されず使用できる。そして、例えば、反身の人にとっても、クッション材の位置を移動させることにより、自分に適した使用となる。更に、頭部を受けたり、腰部を受けたりでき、クッション体として比較的移動が自在であるから、着座を継続しても頭部の疲れ、腰椎の負担を軽減した座り心地、寝心地が得られる。
【００２１】
請求項５の発明の座椅子における前記２列のエレメントは、前記背凭れ部の前面とその後面の一部としたものであるから、請求項１乃至請求項４のいずれか１つに記載の効果に加えて、前記２列のエレメントは、前記背凭れ部の任意の長さとすることができるが、前記背凭れ部の全長とすることにより、人体の頭部から臀部までにクッション材が移動自在にできる。更に、前記背凭れが垂直のときに頭が前かがみ状態になるのを嫌う人は、クッション材を外さなくとも、クッション材を使用しない後側に移動させることができる。
【図面の簡単な説明】
【００２２】
【図１】図１は本発明の実施の形態１の座椅子における内部の全体フレーム構造を示す斜視図である。
【図２】図２は本発明の実施の形態１の座椅子における内部構造を示す図１の中央縦断面図である。
【図３】図３は本発明の実施の形態１の座椅子をその左前方から見た斜視図である。
【図４】図４は本発明の実施の形態２の座椅子をその左前方から見た斜視図である。
【図５】図５は本発明の実施の形態２の座椅子をその右後方から見た斜視図である。
【図６】図６は本発明の実施の形態２の座椅子をその右後方から見た要部斜視図である。
【図７】図７は本発明の実施の形態１の座椅子におけるクッション材の取付けを説明する説明図（ａ）及びクッション材の取付けを説明する説明図（ｂ）である。
【図８】図８は本発明の実施の形態１の座椅子における要部のクッション材の取付けを説明する説明図（ａ）及び間隔保持材の取付けを説明する説明図（ｂ）である。
【図９】図９は本発明の実施の形態１の座椅子におけるスライダーの胴体と間隔保持材とスプリングピンの取付け状態を説明する説明図で、（ａ）はその要部断面図、（ｂ）は間隔保持材を透明体として描いた斜視図、（ｃ）は間隔保持材を不透明体として描いた斜視図である。
【発明を実施するための形態】
【００２３】
以下、本発明の実施の形態について、図面に基づいて説明する。なお、実施の形態において、図示の同一記号及び同一符号は、同一または相当する機能部分であるから、ここではその重複する説明を省略する。
【００２４】
［実施の形態１］
特に、図１において、金属パイプ製の座フレーム１０は、略Ｕの字状（略コの字状の角を丸く処理したもので、１本のフレームを曲げて処理したもの）の主座フレーム１１とその間を保護する補助座フレーム１２から構成されている。また、金属パイプ製の背フレーム３０も、２本の立上りフレーム３１と２本の水平フレーム３２及び水平フレーム３３から略コの字状（角を端部として使用できる形態）に形成された主背フレーム３４が構成されている。勿論、本発明を実施する場合には、補助座フレーム１２、水平フレーム３２、水平フレーム３３の何れかを省略することも、位置を変えることも、形状を変えることもできるし、材料を変更することもできる。なお、本発明を実施する場合には、略Ｕの字状とは、略コの字状の角を丸く処理したもので、１本のフレームを曲げて処理したものであり、略コの字状の角を端部として使用できる形態とは相違するとの前提で説明する。
【００２５】
そして、座フレーム１０の略Ｕの字状の主座フレーム１１の開口端と背フレーム３０の略コの字状の主背フレーム３４の立上りフレーム３１の下端の開口端には、各開口端にラチェット金具２０が配設されている。ラチェット金具２０の構造は基本的には、座椅子の分野では公知であるが、ここでは、２個のラチェット金具２０は、主座フレーム１１の開口端と主背フレーム３３の立上りフレーム３１の開口端に挿入し、そこにスポット溶接、圧着でラチェット金具２０と主座フレーム１１の開口端または主背フレーム３４の下端の開口端とが固着されている。
【００２６】
座フレーム１０は、図２に示すように、公知のウレタンフォームによる充填成型、ウレタンフォームシート、ウレタンフォームチップシート等の緩衝用として成型等のウレタンフォーム、他の発泡性樹脂、または、発泡性樹脂等の代わりに、ゴム製容器に空気を注入したエアクッションタイプの緩衝材１３としてもよい。何れにせよ、緩衝材１３としては、所定の肉厚の略矩形状を呈しており、人の着座時の安定性等の面から、人体に近い位置を軟質発泡樹脂で、人体に遠い位置を硬質発泡樹脂で形成するのが好ましい。しかし、これは本発明を実施する場合に特に限定されるものではない。また、軟質の緩衝材１３内部には、ウレタンフォームチップ等からなる緩衝性を有する芯材が収容されていてもよい。この場合には、緩衝材１３の外面素材は、緩衝性を有する素材として、例えば、ナイロン等の合成樹脂やゴム材料等が好ましい。また、緩衝材１３として低反発材料、高反発材料を使用してもよい。
なお、座フレーム１０は、必要な緩衝材１３及び強靭な布地等の被覆材１５と共に座部Ａを形成している。
【００２７】
また、背フレーム３０は座部Ａと同様に、公知のウレタンフォームによる充填成型、ウレタンフォームシート、ウレタンフォームチップシート等の緩衝用として成型等のウレタンフォーム、発泡性樹脂、または、発泡性樹脂等の代わりに、ゴム製容器に空気を注入したエアクッションタイプの緩衝材３６としてもよい。何れにせよ、緩衝材３６としては、所定の肉厚の略矩形状を呈しており、背凭れ時の安定性等の面から人体に近い位置を軟質発泡樹脂で、人体に遠い位置を硬質発泡樹脂で形成するのが好ましい。軟質の緩衝材３６内部には、ウレタンフォーム等からなる緩衝性を有する芯材が収容されていてもよい。この場合には、緩衝材３６の外面素材は、緩衝性を有する素材として、例えば、ナイロン等の合成樹脂やゴム材料が好ましい。また、緩衝材３６として低反発材料、高反発材料を使用する場合もある。なお、緩衝材３６の長さはクッション材７０のスライダー６０の間隔は、５〜２０ｃｍに設定されるからその２〜３倍以内が好適である。なお、背フレーム３０は、必要な緩衝材３６及び強靭な布地等の被覆材３５と共に背凭れ部Ｂを形成している。
このようにして、人が着座する座部Ａ及び座部Ａと接続されて傾動自在な背凭れ部Ｂとを有する座椅子が構成されている。
【００２８】
図３に示す座椅子の被覆材１５は、背凭れ部Ｂの前面に形成されている部分には、着座する座部Ａと接続されて傾動自在な背凭れ部Ｂの前面の高さ方向に、等間隔の幅で平行に設けた互いに噛み合う２列のファスナーのエレメント５０が配設されている。このファスナーはスライダー６０及びエレメント５０及びテープ８０から構成されるものであり、市販のファスナーが使用できる。
２列のエレメント５０は、水平方向に等間隔Ｌで上端部から下端部まで均一な距離間隔になっている。水平方向に等間隔Ｌは、その間隔が広いと安定性が良いが、クッション材７０に偶力が加わるものでないので、１０ｃｍ以上の間隔があれば、安定した動作が期待できる。特に、４個のスライダー６０で支持するので、１列のエレメント５０では不安定であるが、２列のエレメント５０であれば、１０ｃｍ以上の間隔があれば、クッション材７０の上下動も滑らかであり、安定した動作が期待できる。また、背凭れ部Ｂの両側の形態の自由度も維持できるから、それも考慮して等間隔Ｌを決めるのが望ましい。
【００２９】
本実施の形態で使用できるファスナーは、エレメント５０が金属でできている金属ファスナー、エレメント５０がコイル状の樹脂でできている樹脂ファスナー、樹脂製のエレメント５０がテープに射出成型されたファスナー（商標名『ビスロン』ＹＫＫ（株）販売）等が可能である。また、スライダー６０の種類から分けると、ロック機能付きスライダーとノンロック付（自由）スライダーの何れでもよい。詳しくは、自由スライダー、オートマチックスライダー、セミオートマチックスライダー、ピンロックスライダー、リバーシブルスライダー、樹脂スライダーの使用も可能である。
【００３０】
２列のエレメント５０は、伸縮しない強靭な布地等からなる被覆材３５にファスナーのエレメント５０のテープ８０を縫製している。したがって、水平方向から見れば、被覆材３５は２列のエレメント５０を設ける個所が開口し、そこにテープ８０を縫製し、エレメント５０が位置することになる。ファスナーの取付けとしては、公知の縫製方法と相違するものではない。
本実施の形態では、エレメント５０を２列形成する場合について説明したが、本発明を実施する場合には、エレメント５０を３列または４列と２列以上とすることもできる。２列以上とすることに機械的な問題点はないから、デザイン的に問題が生じなければ、２列以上とすることができる。
【００３１】
図４乃至図６は、本発明に実施の形態２の座椅子である。基本的動作は実施の形態１と同じであるから、図３の実施の形態１の座椅子との違いのみを説明する。
図３の実施の形態２の座椅子は、２列のエレメント５０が後方にまで伸びていることにある。即ち、２列のエレメント５０は、伸縮しない強靭な布地等からなる被覆材３５を座椅子の背凭れ部Ｂの１．２〜１．５倍程度の長さとし、そこに２列のエレメント５０のテープ８０を被覆材３５に縫製している。そこに、２列のエレメント５０を配設している。したがって、背凭れ部Ｂの下端に下止を、座椅子の背凭れ部Ｂの１．２〜１．５倍程度の長さの被覆材３５の端部に上止を設けるように、エレメント５０を設けている。
本発明を実施する場合の、エレメント５０の背凭れ部Ｂの下部の下止と、背凭れ部Ｂの上部の上止の正確な長さを特定するものではない。
【００３２】
また、クッション材７０は、背凭れ部Ｂの下端から座椅子の背凭れ部Ｂの上下の全長の１．２〜１．５倍程度の長さの被覆材３５の端部までエレメント５０を設け、その間をクッション材７０が移動自在としている。
被覆材３５の背凭れ部Ｂの高さ以上に延びた補助被覆材３８は、被覆材３５と同様に、伸縮しない強靭な布地等からなる。
更に、補助被覆材３８の背凭れ部Ｂ側に面する位置には、金属製のスナップボタン７３ａ，７４ａは、対向するスナップボタン７３ｂ，７４ｂに接続自在に設けられている。なお、スナップボタン７３ａ，７４ａとスナップボタン７３ｂ，７４ｂは凹または凸のどちら側でもよい。
【００３３】
したがって、クッション材７０を補助被覆材３８側のエレメント５０まで移動しておき、そこで、補助被覆材３８を曲げて金属製のスナップボタン７３ａ，７４ａを、対向する背凭れ部Ｂの背後に配設したスナップボタン７３ｂ，７４ｂに接続することにより、背凭れ部Ｂの前面からはクッション材７０を見えなくし、背凭れ部Ｂの背後に隠すことができる。即ち、クッション材７０は背凭れ部Ｂの背後に位置し、座部Ａ及び背凭れ部Ｂを直線的に伸ばして使用できる。このとき座部Ａ及び背凭れ部Ｂを平坦面に載置したとすると、クッション材７０厚み分だけ傾斜状態となる。
ここで、補助被覆材３８は背凭れ部Ｂの前面から延長して形成してもよいし、背凭れ部Ｂの前面で布地を追加してもよい。
【００３４】
背凭れ部Ｂの２列のエレメント５０とスライダー６０の胴体６１とクッション材７０との間は、背凭れ部Ｂの２列のエレメント５０にはスライダー６０が頭合わせ状態に配置されている。通常、頭合わせ状態に配置されているスライダー６０の間隔は、５〜２０ｃｍに設定される。頭合わせ状態のスライダー６０の間隔５〜２０ｃｍは、頭合わせ状態のスライダー６０の間隔が５ｃｍよりも小さいと、クッション材７０が水平を維持し難くなり、また、頭合わせ状態のスライダー６０の間隔が２０ｃｍよりも大きいと、腰部、頸部をスポットで支持することができ難くなる。したがって、通常、スライダー６０の間隔は５〜２０ｃｍに設定される。
【００３５】
次に、図７乃至図９を用いて実施の形態の説明をする。
図７（ａ）に示すように、間隔保持材９０としての合成樹脂板または薄手の鋼板の４隅に長方形状の貫通孔９１を形成し、その貫通孔９１にスライダー６０の胴体６１の上に形成された柱６２を挿通させる。そして、柱６２に形成されている挿通孔６３にスナップピン（または抜け止めスナップピン）６４を挿入し、スライダー６０と間隔保持材９０はスナップピン６４で一体に接続する。なお、スナップピン６４は割ピンとも呼ばれる。本実施の形態で使用する抜け止め手段は、スナップピン６４に限定されるものではなく、間隔保持材９０とスライダー６０とが一体に接続状態になればよい。
【００３６】
また、間隔保持材９０は、４個のスライダー６０の胴体６１を２列のエレメント５０上で等間隔Ｌに維持すると共に、頭合わせ状態で配設した胴体６１の高さ方向の間隔を維持するものであるが、本実施の形態の間隔保持材９０は、弾性に富む材料の鋼板または弾性に富まない材料の鉄板、木材板としてもよい。或いは、本実施の形態の間隔保持材９０は、開口する口状の４枚の短冊に対して、それらを交差するようにＸ状に２枚の短冊で閉じ、形状を維持させることもできる。または、間隔保持材９０は、略Ｈ字状に固定してもよい。或いは間隔保持材９０を一体成型して、貫通孔９１にスライダー６０の胴体６１の上に形成された柱６２が係合する構造とすることもできる。
なお、本実施の形態の間隔保持材９０は、スライダー６０との接続が分離自在であっても、分離不可能なものであってもよい。
【００３７】
そして、柱６２に形成されている挿通孔６３に挿入して間隔保持材９０とスライダー６０との接続を行うスナップピン６４は、間隔保持材９０とスライダー６０とが分離しないようにするものであるから、割ピンでもよいし、Ｃ型止め輪であってもよい。即ち、本発明を実施する使用態様を考慮して決定すればよい。勿論、間隔保持材９０とスライダー６０との接続を維持できるボルトであってもよいし、スライダー６０の機能を停止させるボルトナットであってもよい。
本実施の形態のスナップピン６４は、柱６２と係合固着する構造としているが、ボルトナットで締め付けてもよいし、圧着で固着してもよい。
【００３８】
本実施の形態の間隔保持材９０は、間隔保持材９０に４個のスナップボタン７５ｂ，７５ｂ，７６ｂ，７６ｂを設け、クッション材７０側にも４個のスナップボタン７５ａ，７５ａ，７６ａ，７６ａを設け、両者を接合するものである。
この間隔保持材９０には、４個のスナップボタン７５ｂ，７５ｂ，７６ｂ，７６ｂを配設しているが、このスナップボタン７５ｂ，７５ｂ，７６ｂ，７６ｂは４個に限定されるものではなく、２個以上であればよい。また、その配設する位置も、２列のエレメント５０の内側の位置であっても、外側の位置であってもよい。可能な限り、間隔保持材９０の外周に近い位置に配設するのが望ましい。
【００３９】
また、間隔保持材９０はスライダー６０に取付け、間隔保持材９０に取付けた４個のスナップボタン７５ｂ，７５ｂ，７６ｂ，７６ｂに、クッション材７０側の４個のスナップボタン７５ａ，７５ａ，７６ａ，７６ａを接合するものであるが、間隔保持材９０をクッション材７０の内部に配置し、左右からスナップピン６４を挿入して係合状態とすることもできる。或いは、間隔保持材９０側から突出部分を形成し、その突出部分をスライダー６０の柱６２に抱き合わせて係合させてもよいし、両者をスナップピン６４で係止してもよい。
【００４０】
特に、クッション材７０の内部に間隔保持材９０を収納したものでは、コンパクトで見栄えが良くなる。クッション材７０の内部に間隔保持材９０を収納したものでは、４個のスライダー６０から外し、それを再度接合する場合に、正確に４個のスナップボタン７５ｂ，７５ｂ，７６ｂ，７６ｂにクッション材７０側の４個のスナップボタン７５ａ，７５ａ，７６ａ，７６ａを位置させる必要性があるから、その位置決め精度を上げ、かつ、対向するスナップボタン７５ｂ，７５ｂ，７６ｂ，７６ｂとスナップボタン７５ａ，７５ａ，７６ａ，７６ａが湾曲により、変位しない構造とする必要がある。
即ち、両側のスナップボタンの接合を容易にするためには、この場合にも、間隔保持材９０をクッション材７０の外の図７に示す位置に設けるのが望ましい。
【００４１】
クッション材７０の内部は、所定の肉厚の略矩形状を呈しており、背凭れ時の安定性等の面から人体に近い位置を軟質発泡樹脂で、人体に遠い位置を硬質発泡樹脂で形成するのが好ましい。軟質の緩衝材３６内部には、ウレタンフォーム等からなる緩衝性を有する芯材が収容されていてもよい。
クッション材７０には、ユーザの好みが違うので、袋状に形成した被覆材にそば殻を入れてもよいし、低反発発泡ウレタンとしてもよい。しかし、間隔保持材９０にクッション材７０を入れて一体化する場合には、その位置決め精度を上げ、かつ、間隔保持材９０が変位しない構造とする必要がある。そのため、クッション材７０の取付側の面には木材板を入れて窪みが生じ難いようにしている。
【００４２】
このように構成された座椅子は、人が着座する座部Ａと接続されて傾動自在な背凭れ部Ｂとを有し、背凭れ部Ｂの前面に設けた２列のエレメント５０には、各列のエレメント５０にスライダー６０の胴体６１を２個頭合わせ状態に配設し、２列のエレメント５０に計４個のスライダー６０の胴体６１を配設し、しかも、間隔保持材９０によってスライダー６０の４個の胴体６１を２列のエレメント５０の幅間隔Ｌが変化しないように維持すると共に、２個頭合わせ状態で配設した胴体６１の高さ方向の間隔を維持した状態でクッション材７０が上方向または下方向に移動する。
【００４３】
このとき、スライダー６０の４個の胴体６１は、２個頭合わせで配設しているから、ファスナーが開の部分は対向する頭合わせの直線部分のみとなり、しかも、ファスナーが開の部分は間隔保持材９０や、クッション材７０で覆われているから、幼児等であっても手が届き難くなり、また、頻繁にクッション材７０を上下等しても、埃が出入りする程度の隙間がない。
そして、ファスナーのスライダー６０の上下動は、ファスナーの開閉を行うものであるから、容易に昇降運動をするものでない。クッション材７０を昇降すれば、その状態を維持できる。したがって、停止状態を維持するための手段を配設する必要性がなく、全体の構造が簡単である。
【００４４】
また、クッション材７０を枕として使用する場合でも、背凭れ部Ｂの前面に設けた２列のエレメント５０による移動間隔を長くしているから座高、身長に左右されず使用可能である。そして、例えば、反身の人にとっては、クッション材７０の位置を移動させることにより、自分に適した使用位置にできる。更に、クッション体７０として比較的移動が自在であるから、頭部を受けたり、腰部を受けたりでき、着座を継続しても頭部の疲れ、腰椎の負担を軽減した座り心地、寝心地が得られる。
加えて、背凭れ部Ｂの前面に設けた２列のエレメント５０は、任意の間隔に設定できるから、背凭れ部Ｂの両端の形状を特定の形状にする必要がなく、設計自由度の高い構造となる。
【００４５】
上記実施の形態の座椅子は、着座する座部Ａ及び座部Ａと傾動自在に接続された背凭れ部Ｂとを有する座椅子において、背凭れ部Ｂの座部Ａ側の前面の高さ方向に対して、水平方向に均一幅Ｌに設けた互いに噛み合う２列のエレメント５０と、２列のエレメント５０の各列のエレメント５０にスライダー６０の胴体６１を頭合わせ状態に、２列のエレメント５０に配設した４個のスライダー６０の胴体６１と、４個のスライダー６０の胴体６１を２列のエレメント５０の幅間隔Ｌが変化しないように維持すると共に、頭合わせで配設した胴体６１の高さ方向の間隔を維持する間隔保持材９０と、間隔保持材９０を一体に取付け所定の形状としたクッション材７０とを具備するものである。
【００４６】
したがって、本実施の形態は、人が着座する座部Ａ及び座部Ａと接続されて傾動自在な背凭れ部Ｂとを有する座椅子において、背凭れ部Ｂの前面に設けた２列のエレメント５０には、各列のエレメント５０にスライダー６０の胴体６１を２個頭合わせ状態に配設し、２列のエレメント５０に計４個のスライダー６０の胴体６１を配設し、しかも、間隔保持材９０によって４個のスライダー６０の胴体６１を２列のエレメント５０の幅間隔Ｌが変化しないように維持すると共に、２個頭合わせ状態で配設した胴体６１の高さ方向の間隔を維持した状態でクッション材７０が移動する。
【００４７】
このとき、４個のスライダー６０の胴体６１は、２個頭合わせで配設されているから、ファスナーの点ａから点ｂが「開」となる。ファスナーの点ａから点ｂまでは、対向する２個頭合わせの直線部分となり、しかも、ファスナーが「開」の点ａから点ｂまでの部分は間隔保持材９０や、クッション材７０で覆われているから、例えば、幼児等であっても手が届き難くなり、また、頻繁にクッション材７０を上下等しても、埃が出入りすることがない。
特に、図８(ｂ)に示すように、下止からファスナーの点ｂまでが閉、点ｂから点ａまでが開、点ａから上止までが閉であるから、４個のスライダー６０が大きな負荷を与えるから、上下の移動止め手段を設ける必要性がない。また、上下端にローラを配設し、その間に環状のベルトを配設した場合についても、上下の移動止め手段を設ける必要性が生じるが、本実施の形態では、その必要性もない。
【００４８】
また、クッション材７０を枕として使用する場合でも、昇降移動する移動間隔を長くしているから座高、身長に左右されず使用できる。そして、例えば、反身の人にとっても、クッション材７０の位置を移動させることにより、自分に適した使用となる。更に、クッション体７０として比較的移動が自在であるから、頭部を受けたり、腰部を受けたりでき、着座を継続しても頭部の疲れ、腰椎の負担を軽減した座り心地、寝心地が得られる。
加えて、背凭れ部Ｂの前面に設けた２列のエレメント５０は、任意の間隔に設定できるから、背凭れ部Ｂの両端の形状を特定の形状にする必要がなく、設計自由度の高い構造となる。例えば、背凭れ部Ｂの両端の形状にステレオ用スピーカを埋設する構造とすることもできる。
【００４９】
上記実施の形態の座椅子の４個のスライダー６０の胴体６１と間隔保持材９０とは、スライダー６０の４個の胴体６１から突出した柱６２に間隔保持材９０の長方形状の貫通孔９１に嵌合させて取付けたものである。
このように、スライダー６０の４個の胴体６１と間隔保持材９０を、４個のスライダー６０の胴体６１から突出した柱６２に間隔保持材９０の長方形状の貫通孔９１に嵌合させて取付けたものであるから、間隔保持材９０の長方形状の切欠きを設け、そこにスライダー６０の胴体６１から突出した柱６２を挿入すれば接合状態に持ち込めるから、作業性が良好である。
特に、柱６２に間隔保持材９０の長方形状の貫通孔９１は、柱６２との間にがたつきが入らないほうが好ましい。
【００５０】
上記実施の形態の座椅子のクッション材７０と間隔保持材９０は、スナップボタン７５ａ，７５ｂ，７６ａ，７６ｂで連結するものであるから、作業性が良くなるだけでなく、取外し及び取付けが簡単でありユーザがその操作を行うこともできる。このように、クッション材７０と間隔保持材９０とは、スナップボタン７５ａ，７５ｂ，７６ａ，７６ｂで連結することができる。
【００５１】
上記実施の形態の座椅子の２列のエレメント５０は、前記背凭れ部Ｂの全長としたものであるから、クッション材７０を枕として使用する場合でも、移動間隔を長くしているから座高、身長に左右されず使用できる。そして、例えば、反身の人にとっても、クッション材７０の位置を移動させることにより、自分に適した使用となる。更に、頭部を受けたり、腰部を受けたりでき、クッション体７０として比較的移動が自在であるから、着座を継続しても頭部の疲れ、腰椎の負担を軽減した座り心地、寝心地が得られる。
【００５２】
上記実施の形態の座椅子の２列のエレメント５０は、背凭れ部Ｂの前面とその後面の一部としたものであるから、２列のエレメント５０は、背凭れ部Ｂの任意の長さとすることができるが、背凭れ部Ｂの全長とすることにより、人体の頭部から臀部までにクッション材７０が移動自在にできる。更に、背凭れＢが垂直のときに頭が前かがみ状態になるのを嫌う人は、クッション材７０を外さなくとも、クッション材７０を使用しない後側に移動させることができる。
また、上記実施の形態の座椅子のクッション材７０と４個のスライダー６０の接続は、本実施の形態の事例に限定されるものではなく、係合手段であれば、如何なる手段であってもよい。
【産業上の利用可能性】
【００５３】
上記実施の形態で説明した技術は、着座する座部Ａ及び座部Ａと傾動自在に接続された背凭れ部Ｂとを有する座椅子において説明しているが、本発明を実施する場合には、背凭れ部Ｂの形状が傾動しない構造の椅子にも使用できる。例えば、本実施の形態では座椅子として説明してきたが、自動車等の車両のシート、即ち、椅子としても使用できる。勿論、応接セットの応接用椅子にも使用できる。即ち、本発明は座椅子に限定した使用が前提とするものではなく、車両用のシートにも使用できるものである。
【符号の説明】
【００５４】
Ａ    座部
Ｂ    背凭れ部
１５、３５    被覆材
３８    補助被覆材
５０    エレメント
６０    スライダー
６１    胴体
６２    柱
６３    貫通孔
６４    スナップピン
７０    クッション材
７３ａ，７３ｂ，７４ａ，７４ｂ    スナップボタン
８０    テープ
９０    間隔保持材
【図１】
2015223273.tif 000003
【図２】
2015223273.tif 000004
【図３】
2015223273.tif 000005
【図４】
2015223273.tif 000006
【図５】
2015223273.tif 000007
【図６】
2015223273.tif 000008
【図７】
2015223273.tif 000009
【図８】
2015223273.tif 000010
【図９】
2015223273.tif 000011